(57)【要約】【課題】病院全体における被検体に対するスケジュールの把握を容易に行うことができる、病院支援システム、病院支援方法、病院支援プログラム、及び制御装置を提供する。【解決手段】病院支援システム４は、管理用モニタ４０と、少なくとも、患畜が来院してから会計が終了するまでの患畜が病院にいる間に、患畜に対応して行われる一連の予め定められた複数の段階に応じた項目が時系列順に並んだ状態の状況管理表１００を管理用モニタ４０に表示させる第１制御部、及び状況管理表１００に対して、複数の段階のうち、その時点で行われている段階がいずれの段階であるかを表すアイコン１００Ｂを管理用モニタ４０に表示させる制御を行う第２制御部として機能する操作端末２４と、を備える。【選択図】図８
2019197493.tif 000002
【特許請求の範囲】
【請求項１】
表示装置と、
少なくとも、被検体が来院してから会計が終了するまでの前記被検体が病院にいる間に、前記被検体に対応して行われる一連の予め定められた複数の段階に応じた項目が時系列順に並んだ状態の表を前記表示装置に表示させる制御を行う第１制御部と、
前記表に対して、前記複数の段階のうち、その時点で行われている段階がいずれの段階であるかを表す段階情報を前記表示装置に表示させる制御を行う第２制御部と、
を備えた病院支援システム。
【請求項２】
前記第２制御部は、前記段階情報として、前記被検体の画像を前記段階を示す位置に表示させる、
請求項１に記載の病院支援システム。
【請求項３】
前記複数の段階は、前記被検体の来院予定に関する段階、宿泊に関する段階、入院に関する段階、及び帰院に関する段階のうちの、少なくとも一つの段階をさらに含む、
請求項１または請求項２に記載の病院支援システム。
【請求項４】
前記複数の段階は、前記被検体の診療に関する段階及び前記被検体の検査に関する段階を含む、
請求項１から請求項３のいずれか１項に記載の病院支援システム。
【請求項５】
前記診療及び前記検査の少なくとも一方に用いられる機器の稼働状態を表す情報を前記表示装置にさらに表示させる制御を行う第３制御部をさらに備えた、
請求項４に記載の病院支援システム。
【請求項６】
前記稼働状態を表す情報は、実施中の前記診療または前記検査のために前記機器が稼働する残り時間、前記機器の稼働が終了すると予定されている終了時刻、前記診療または前記検査のための前記機器の稼働の進行状況、及び前記機器による前記診療及び前記検査の少なくとも一方を待機している前記被検体の数、の少なくとも一つを表す情報である、
請求項５に記載の病院支援システム。
【請求項７】
前記被検体を識別する識別情報が記憶されたタグと、
前記段階毎に定められた位置に設けられ、かつ前記タグから前記識別情報を読み取る読取機と、
をさらに備え、
前記第２制御部は、前記読取機が、前記タグから前記識別情報を読み取った場合、前記表示装置の表示における、前記読取機に対応する段階について更新する、
請求項１から請求項６のいずれか１項に記載の病院支援システム。
【請求項８】
前記タグは、前記被検体によって装着される、
請求項７に記載の病院支援システム。
【請求項９】
前記被検体に関して記載された記載情報を記憶する記憶部と、前記記憶部に記憶された前記記載情報を送信する送信部とを有するウエアラブル機器をさらに備え、
前記第２制御部は、前記ウエアラブル機器の前記送信部によって送信された前記記載情報を受信した場合、前記段階について更新する、
請求項１から請求項８のいずれか１項に記載の病院支援システム。
【請求項１０】
前記第２制御部は、複数の被検体の各々毎に、前記段階情報を前記表示装置に表示させる制御を行う、
請求項１から請求項９のいずれか１項に記載の病院支援システム。
【請求項１１】
診察室に設けられ、前記被検体の診療の結果及び検査の結果の少なくとも一方の結果が表示される、前記表示装置とは異なる表示装置をさらに備えた、
請求項１から請求項１０のいずれか１項に記載の病院支援システム。
【請求項１２】
待合室に設けられ、前記表示装置に表示される情報の一部が表示される、前記表示装置とは異なる表示装置をさらに備えた、
請求項１から請求項１１のいずれか１項に記載の病院支援システム。
【請求項１３】
前記被検体は、人間以外の動物である、
請求項１から請求項１２のいずれか１項に記載の病院支援システム。
【請求項１４】
第１制御部が、少なくとも、被検体が来院してから会計が終了するまでの前記被検体が病院にいる間に、前記被検体に対応して行われる一連の予め定められた複数の段階に応じた項目が時系列順に並んだ状態の表を表示装置に表示させる制御を行い、
第２制御部が、前記表に対して、前記複数の段階のうち、その時点で行われている段階がいずれの段階であるかを表す段階情報を前記表示装置に表示させる制御を行う、
処理を含む病院支援方法。
【請求項１５】
コンピュータを、
少なくとも、被検体が来院してから会計が終了するまでの前記被検体が病院にいる間に、前記被検体に対応して行われる一連の予め定められた複数の段階に応じた項目が時系列順に並んだ状態の表を表示装置に表示させる制御を行う第１制御部と、
前記表に対して、前記複数の段階のうち、その時点で行われている段階がいずれの段階であるかを表す段階情報を前記表示装置に表示させる制御を行う第２制御部
として機能させるための病院支援プログラム。
【請求項１６】
少なくとも、被検体が来院してから会計が終了するまでの前記被検体が病院にいる間に、前記被検体に対応して行われる一連の予め定められた複数の段階に応じた項目が時系列順に並んだ状態の表を表示装置に表示させる制御を行う第１制御部と、
前記表に対して、前記複数の段階のうち、その時点で行われている段階がいずれの段階であるかを表す段階情報を前記表示装置に表示させる制御を行う第２制御部と、
を備えた病院支援システム。
【発明の詳細な説明】
【技術分野】
【０００１】
本開示は、病院支援システム、病院支援方法、病院支援プログラム、及び制御装置に関する。
【背景技術】
【０００２】
従来、病院では、医師、看護師、及び技師等の病院のスタッフが被検体に対する診察等のスケジュールを把握するために、被検体の受付や会計等の情報を被検体毎に表示装置に表示させることが行われている。例えば、特許文献１に記載の技術では、被検体である患畜毎に、予約時間、受付時間、及び検査待ち等の状態を表示装置に表示させる技術が記載されている。
【先行技術文献】
【特許文献】
【０００３】
【特許文献１】特開２０１５−６９５７８号公報
【発明の概要】
【発明が解決しようとする課題】
【０００４】
特許文献１に記載の技術では、被検体に対して行われる受付や検査等の段階を含む、一連の予め定められた複数の段階のうちのいずれの段階までが終了しているのかや、現在はいずれの段階であるのか等、病院における現在の被検体の状況が把握し難い場合があった。そのため、スタッフが、病院全体における被検体に対するケジュールの把握がし難い場合があった。
【０００５】
本開示は、以上の事情を鑑みて成されたものであり、病院全体における被検体に対するスケジュールの把握を容易に行うことができる、病院支援システム、病院支援方法、病院支援プログラム、及び制御装置を提供することを目的とする。
【課題を解決するための手段】
【０００６】
上記目的を達成するために、本開示の第１の態様の病院支援システムは、表示装置と、  少なくとも、被検体が来院してから会計が終了するまでの被検体が病院にいる間に、被検体に対応して行われる一連の予め定められた複数の段階に応じた項目が時系列順に並んだ状態の表を表示装置に表示させる制御を行う第１制御部と、表に対して、複数の段階のうち、その時点で行われている段階がいずれの段階であるかを表す段階情報を表示装置に表示させる制御を行う第２制御部と、を備える。
【０００７】
本開示の第２の態様の病院支援システムは、第１の態様の病院支援システムにおいて、  第２制御部は、段階情報として、被検体の画像を段階を示す位置に表示させる。
【０００８】
本開示の第３の態様の病院支援システムは、第１の態様または第２の態様の病院支援システムにおいて、複数の段階は、被検体の来院予定に関する段階、宿泊に関する段階、入院に関する段階、及び帰院に関する段階のうちの、少なくとも一つの段階をさらに含む。
【０００９】
本開示の第４の態様の病院支援システムは、第１の態様から第３の態様のいずれか１態様の病院支援システムにおいて、複数の段階は、被検体の診療に関する段階及び被検体の検査に関する段階を含む。
【００１０】
本開示の第５の態様の病院支援システムは、第４の態様の病院支援システムにおいて、  診療及び検査の少なくとも一方に用いられる機器の稼働状態を表す情報を表示装置にさらに表示させる制御を行う第３制御部をさらに備える。
【００１１】
本開示の第６の態様の病院支援システムは、第５の態様の病院支援システムにおいて、  稼働状態を表す情報は、実施中の診療または検査のために機器が稼働する残り時間、機器の稼働が終了すると予定されている終了時刻、診療または検査のための機器の稼働の進行状況、及び機器による診療及び検査の少なくとも一方を待機している被検体の数、の少なくとも一つを表す情報である。
【００１２】
本開示の第７の態様の病院支援システムは、第１の態様から第６の態様のいずれか１態様の病院支援システムにおいて、被検体を識別する識別情報が記憶されたタグと、段階毎に定められた位置に設けられ、かつタグから識別情報を読み取る読取機と、をさらに備え  第２制御部は、読取機が、タグから識別情報を読み取った場合、表示装置の表示における、読取機に対応する段階について更新する。
【００１３】
本開示の第８の態様の病院支援システムは、第７の態様の病院支援システムにおいて、  タグは、被検体によって装着される。
【００１４】
本開示の第９の態様の病院支援システムは、第１の態様から第８の態様のいずれか１態様の病院支援システムにおいて、被検体に関して記載された記載情報を記憶する記憶部と、記憶部に記憶された記載情報を送信する送信部とを有するウエアラブル機器をさらに備え、第２制御部は、ウエアラブル機器の送信部によって送信された記載情報を受信した場合、段階について更新する。
【００１５】
本開示の第１０の態様の病院支援システムは、第１の態様から第９の態様のいずれか１態様の病院支援システムにおいて、第２制御部は、複数の被検体の各々毎に、段階情報を表示装置に表示させる制御を行う。
【００１６】
本開示の第１１の態様の病院支援システムは、第１の態様から第１０の態様のいずれか１態様の病院支援システムにおいて、診察室に設けられ、被検体の診療の結果及び検査の結果の少なくとも一方の結果が表示される、表示装置とは異なる表示装置をさらに備えた。
【００１７】
本開示の第１２の態様の病院支援システムは、第１の態様から第１１の態様のいずれか１態様の病院支援システムにおいて、待合室に設けられ、表示装置に表示される情報の一部が表示される、表示装置とは異なる表示装置をさらに備えた。
【００１８】
本開示の第１３の態様の病院支援システムは、第１の態様から第１２の態様のいずれか１態様の病院支援システムにおいて、被検体は、人間以外の動物である。
【００１９】
上記目的を達成するために、本開示の第１４の態様の病院支援方法は、第１制御部が、少なくとも、被検体が来院してから会計が終了するまでの被検体が病院にいる間に、被検体に対応して行われる一連の予め定められた複数の段階に応じた項目が時系列順に並んだ状態の表を表示装置に表示させる制御を行い、第２制御部が、表に対して、複数の段階のうち、その時点で行われている段階がいずれの段階であるかを表す段階情報を表示装置に表示させる制御を行う、処理を含む。
【００２０】
上記目的を達成するために、本開示の第１５の態様の病院支援プログラムは、コンピュータを、少なくとも、被検体が来院してから会計が終了するまでの被検体が病院にいる間に、被検体に対応して行われる一連の予め定められた複数の段階に応じた項目が時系列順に並んだ状態の表を表示装置に表示させる制御を行う第１制御部と、表に対して、複数の段階のうち、その時点で行われている段階がいずれの段階であるかを表す段階情報を表示装置に表示させる制御を行う第２制御部として機能させるためのものである。
【００２１】
上記目的を達成するために、本開示の第１６の態様の制御装置は、少なくとも、被検体が来院してから会計が終了するまでの被検体が病院にいる間に、被検体に対応して行われる一連の予め定められた複数の段階に応じた項目が時系列順に並んだ状態の表を表示装置に表示させる制御を行う第１制御部と、表に対して、複数の段階のうち、その時点で行われている段階がいずれの段階であるかを表す段階情報を表示装置に表示させる制御を行う第２制御部と、を備えた。
【発明の効果】
【００２２】
本開示によれば、病院全体における被検体に対するスケジュールの把握を容易に行うことができる。
【図面の簡単な説明】
【００２３】
【図１】実施形態の動物病院の構成の一例を示す平面図である。
【図２】実施形態の病院支援システムの構成の一例を示すブロック図である。
【図３】実施形態の操作端末のハードウェア構成の一例を示すブロック図である。
【図４】実施形態の操作端末の機能的な構成の一例を示すブロック図である。
【図５】実施形態の検査管理端末のハードウェア構成の一例を示すブロック図である。
【図６】実施形態の待合室用モニタ、診察用モニタ、及び管理用モニタのハードウェア構成の一例を示すブロック図である。
【図７】実施形態の操作端末で実行される病院支援処理の一例を示すフローチャートである。
【図８】実施形態の管理用モニタに表示される、状況管理表及び検査機器稼働状況表の一例を説明するための説明図である。
【図９】実施形態の状況管理表において表示される情報を説明するための説明図である。
【図１０】実施形態の検査機器稼働状況表において表示される情報を説明するための説明図である。
【図１１】実施形態の病院支援システムの構成の他の例を示すブロック図である。
【発明を実施するための形態】
【００２４】
以下、図面を参照して、本開示の技術を実施するための形態例を詳細に説明する。
【００２５】
まず、図１を参照して、本実施形態の病院支援システムの支援対象となる動物病院の一例について説明する。図１には、本実施形態の病院支援システムの支援対象となる動物病院の一例の平面図を示す。
【００２６】
図１に示すように、動物病院１には、待合室１０、第１診察室１１、第２診察室１２、バックヤード１４、検査室と手術室とを兼ねる検査室／手術室１６、及び入院室１８が設けられている。
【００２７】
待合室１０には、動物病院１に来院した被検体である動物（以下、罹患の如何にかかわらず「患畜」という）を受け付けるための受付が設けられており、動物病院１の獣医師や看護師等のスタッフ（以下、単に「スタッフ」という）が患畜の受付や会計に用いるための、受付／会計端末２０及び受付／会計端末用モニタ３０が配置されている。また、待合室１０には、診察等を待っている患畜の飼い主を視聴の対象とした内容の情報を表示するための待合室用モニタ３２が配置されている。待合室用モニタ３２には、患畜関連の各種の広告や、患畜の健康管理に役立つ情報（病気、健康診断、及びペットフード等の情報）や、動物病院１の紹介（ペットホテルの紹介やトリミングを行っている場合はトリミングに関する紹介）を表示させる形態としてもよい。また、待合室用モニタ３２には、各患畜の写真を表示させる形態としてもよい。例えば、飼い主が撮影したお気に入りの写真を、１枚または複数枚、表示させることにより、飼い主同士におけるコミュニケーションを円滑にすることができる。
【００２８】
第１診察室１１及び第２診察室１２の各々では、獣医師により患畜に対する診察や処置（治療）が行われる。第１診察室１１には、診察内容に関する情報や、いわゆるカルテ等の患畜に関する情報も表示するための診察用モニタ３３が配置されており、同様の目的で第２診察室１２には、診察用モニタ３４が配置されている。また、本実施形態の診察用モニタ３３及び診察用モニタ３４には、スタッフの指示により、検査機器群４４及び放射線検査装置４５による検査の結果、例えば、血液検査の結果や、放射線画像、及び超音波画像等も表示される。
【００２９】
バックヤード１４には、操作端末２４、操作入力用モニタ３８、及び管理用モニタ４０が設けられており、操作端末２４、操作入力用モニタ３８、及び管理用モニタ４０を用いて、スタッフにより動物病院１の全体の管理が行われる。本実施形態の操作端末２４は、動物病院１の管理に用いられる病院支援システム４（図２参照）の全体を制御する。本実施形態の操作端末２４が、本開示の制御装置の一例である。また、本実施形態の管理用モニタ４０が、本開示の表示装置の一例である。
【００３０】
また、バックヤード１４では、獣医師等により患畜自身または患畜から取得した検体の検査や処置が行われる。そのため、バックヤード１４には、検査に用いられる検査機器群４４と、検査全般を管理するための検査管理端末２６及び検査管理用モニタ４２が配置されている。検査機器群４４は、例えば、血液化学検査装置、免疫検査装置、放射線検査装置、及び超音波検査装置等が含まれるが、特に限定されず、内視鏡検査装置等が含まれてもよい。なお、血液化学検査装置及び免疫検査装置の各々の具体例としては、富士フイルム株式会社製、商品名、ドライケム（登録商標）等が挙げられる。
【００３１】
検査室／手術室１６では、獣医師等により患畜の放射線画像の撮影や、患畜の手術が行われる。検査室／手術室１６には、患畜の放射線画像を撮影するための放射線検査装置４５が配置されており、放射線検査装置４５は、バックヤード１４に設けられた検査管理端末２６を用いて管理される。
【００３２】
入院室１８には、複数の患畜が入院（宿泊）することができ、さらに、いわゆるペットホテルとして複数の動物が宿泊することができる。
【００３３】
さらに、図１に示すように、待合室１０にはタグリーダ５０が、第１診察室１１にはタグリーダ５１が、第２診察室１２にはタグリーダ５２が、バックヤード１４にはタグリーダ５４及び５６が、検査室／手術室１６にはタグリーダ５８が、さらに入院室１８にはタグリーダ５９が、患畜を管理するための識別番号（詳細後述）が記憶されたＩＣ（Integrated Circuit）タグを読み取るための読取機として設けられている。なお、本実施形態では、一例として、患畜の診察券にＩＣタグが含まれている。
【００３４】
次に、図２を参照して、本実施形態の病院支援システム４の構成を説明する。図２に示すように、本実施形態の病院支援システム４では、上述した、受付／会計端末２０、操作端末２４、検査管理端末２６、待合室用モニタ３２、診察用モニタ３３、診察用モニタ３４、管理用モニタ４０、及びタグリーダ５０、５１、５２、５４、５６、５８、５９の各々が、動物病院１内に設けられた、いわゆる院内ネットワークＮに通信が可能に接続されている。また、検査管理端末２６と、検査機器群４４及び放射線検査装置４５の各々とは、ネットワークＮを介さずに通信が可能に接続されている。なお、検査管理端末２６と、検査機器群４４及び放射線検査装置４５との間の通信は、無線通信で行ってもよいし、有線通信で行ってもよい。
【００３５】
次に、図３を参照して、本実施形態の操作端末２４のハードウェア構成を説明する。図３に示すように、操作端末２４は、ＣＰＵ（Central Processing Unit）６０、一時記憶領域としてのメモリ６１、及び不揮発性の記憶部６２を含む。また、操作端末２４は、キーボードやマウス等の入力部６６、及びネットワークＮに接続されるネットワークＩ／Ｆ（InterFace）６８を含む。ＣＰＵ６０、メモリ６１、記憶部６２、入力部６６、ネットワークＩ／Ｆ６８、及び操作入力用モニタ３８は、バス６９に通信が可能に接続されている。
【００３６】
記憶部６２は、ＨＤＤ（Hard Disk Drive）、ＳＳＤ（Solid State Drive）、及びフラッシュメモリ等によって実現される。記憶媒体としての記憶部６２には、病院支援プログラム６３が記憶される。ＣＰＵ６０は、記憶部６２から病院支援プログラム６３を読み出してからメモリ６１に展開し、展開した病院支援プログラム６３を実行する。また、記憶部６２には、患畜に関する、いわゆるカルテに記録される患畜情報や、動物病院１全体を管理するための種々の情報を含む病院管理情報６４が記憶される。
【００３７】
図４を参照して、本実施形態の操作端末２４の機能的な構成について説明する。図４に示すように、操作端末２４は、第１制御部６、第２制御部７、及び第３制御部８を有する。ＣＰＵ６０が病院支援プログラム６３を実行することで、第１制御部６、第２制御部７、及び第３制御部８として機能する。
【００３８】
第１制御部６は、少なくとも、患畜が動物病院１に来院してから会計が終了するまでの患畜が動物病院１にいる間に、患畜に対応して行われる一連の予め定められた複数の段階に応じた項目（詳細後述）が時系列順に並んだ状態の状況管理表１００（図７参照）を操作入力用モニタ３８に表示させる制御を行う機能を有する。第２制御部７は、状況管理表１００に対して、複数の段階のうち、その時点で行われている段階がいずれの段階であるかを表す段階情報を操作入力用モニタ３８に表示させる制御を行う機能を有する。第３制御部８は、検査機器群４４及び放射線検査装置４５の稼働状態を表す検査機器稼働状況表１０２を操作入力用モニタ３８にさらに表示させる制御を行う機能を有する。
【００３９】
また、図５を参照して、本実施形態の検査管理端末２６のハードウェア構成を説明する。図５に示すように、検査管理端末２６は、ＣＰＵ７０、一時記憶領域としてのメモリ７１、及び不揮発性の記憶部７２を含む。また、検査管理端末２６は、キーボードやマウス等の入力部７６、検査機器群４４及び放射線検査装置４５と通信するための通信Ｉ／Ｆ７７、及びネットワークＮに接続されるネットワークＩ／Ｆ７８を含む。ＣＰＵ７０、メモリ７１、記憶部７２、入力部７６、通信Ｉ／Ｆ７７、ネットワークＩ／Ｆ７８、及び検査管理用モニタ４２は、バス７９に通信が可能に接続されている。
【００４０】
記憶部７２は、ＨＤＤ、ＳＳＤ、及びフラッシュメモリ等によって実現される。記憶媒体としての記憶部７２には、検査管理プログラム７３が記憶される。ＣＰＵ７０は、記憶部７２から検査管理プログラム７３を読み出してからメモリ７１に展開し、展開した検査管理プログラム７３を実行する。また、記憶部７２には、検査機器群４４及び放射線検査装置４５を管理するための機器管理情報７４が記憶される。
【００４１】
さらに、図６を参照して、本実施形態の待合室用モニタ３２のハードウェア構成を説明する。図６に示すように、待合室用モニタ３２は、ＣＰＵ８０、一時記憶領域としてのメモリ８１、及び不揮発性の記憶部８２を含む。また、待合室用モニタ３２は、音声を出力するスピーカ等の出力部８５、リモートコントローラ等の入力部８６、液晶ディスプレイ等の表示部８７、及びネットワークＮに接続されるネットワークＩ／Ｆ８８を含む。ＣＰＵ８０、メモリ８１、記憶部８２、出力部８５、入力部８６、表示部８７、及びネットワークＩ／Ｆ８８は、バス８９に通信が可能に接続されている。
【００４２】
記憶部８２は、ＨＤＤ、ＳＳＤ、及びフラッシュメモリ等によって実現される。記憶媒体としての記憶部８２には、表示制御プログラム８３が記憶される。ＣＰＵ８０は、記憶部８２から表示制御プログラム８３を読み出してからメモリ８１に展開し、展開した表示制御プログラム８３を実行する。ＣＰＵ８０は、表示制御プログラム８３を実行することにより、操作端末２４の制御に応じて表示部８７への各種情報の表示の制御を行う。
【００４３】
診察用モニタ３３、診察用モニタ３４、及び管理用モニタ４０各々のハードウェア構成は、待合室用モニタ３２と同様であるため、説明を省略する。
【００４４】
次に、本実施形態の病院支援システム４の作用を説明する。本実施形態の病院支援システム４では、上述のように、操作端末２４が、病院支援システム４の全体を制御する。本実施形態では、操作端末２４のＣＰＵ６０が病院支援プログラム６３を実行することによって、図７に示す病院支援処理が実行される。図７に示す病院支援処理は、例えば、操作端末２４に電源（図示省略）が投入されたタイミング等で実行される。
【００４５】
図７のステップＳ１００で操作端末２４のＣＰＵ６０は、本日の予約情報を取得する。具体的にはＣＰＵ６０は、病院管理情報６４を参照し、本日、来院が予約されている患畜の患畜情報を取得する。
【００４６】
次のステップＳ１０２でＣＰＵ６０は、本日、来院が予約されている患畜を、予約時間が早い順に、時系列に並べた状態の状況管理表１００を生成し、管理用モニタ４０に表示させる。本実施形態の病院支援システム４では、操作端末２４のＣＰＵ６０が病院支援処理を実行することにより、管理用モニタ４０に、図８に一例を示した、状況管理表１００が表示される。
【００４７】
図８に示すように状況管理表１００は、患畜が動物病院１にいる間に、患畜に対応して行われる一連の予め定められた複数の段階に応じた項目が時系列順に並んだ状態の表である。状況管理表１００には、各患畜毎に、複数の段階のうち、その時点で行われている段階がいずれの段階であるかを表す段階情報が表示される。本実施形態では、予め定められた複数の段階の一例として、時系列順に、「入院／宿泊」、「受付」、「診察／処置」、「検査」、「診断／処置」、「調剤」、「会計」、及び「入院／宿泊」を採用しており、各々の段階に対応する項目が状況管理表１００に時系列順に並んだ状態で表示される。これらの段階のうち、「入院／宿泊」の段階が、本開示の来院予定に関する段階、宿泊に関する段階、入院に関する段階、及び帰院に関する段階の一例である。また、「受付」、「診察／処置」、「診断／処置」、及び「調剤」の段階が本開示の診療に関する段階の一例であり、「検査」が本開示の被検体の検査に関する段階の一例である。
【００４８】
状況管理表１００では、各患畜を表すアイコン１００Ｂを、各患畜の現時点の段階の位置に表示させる。そのため、図８に示した状況管理表１００では、段階が進むほど、右方向に患畜のアイコン１００Ｂが移動する。患畜のアイコン１００Ｂの具体例としては、患畜の写真を用いたアイコンが挙げられる。なお、患畜の写真を用いる場合、患畜の飼い主から提供された、患畜の写真のデータを利用する形態としてもよい。この場合、飼い主から、患畜の写真のデータを、電子的に病院支援システム４に提供してもらうことにより、飼い主のメールアドレス等の連絡先を取得できるため、動物病院１からの連絡や、患畜の検査結果等の連絡に利用することができる。
【００４９】
状況管理表１００は、患畜毎に患畜情報の一部である情報１００Ａの表示を含む。図９に示すように、本実施形態では、情報１００Ａは、一例として患畜の氏名１１０、識別番号１１１、年齢１１２、性別１１４、種類１１５、品種１１６、及び予約時間１１８を含む。なお、予約時間１１８は、患畜の受付が終了し、現時点の段階が「受付」となった場合、受付時間に変更される。
【００５０】
次のステップＳ１０４でＣＰＵ６０は、段階の更新を指示されたか否かを判定する。本実施形態では、上記タグリーダ５０、５１、５２、５４、５６、５８、５９の各々は、上記ＩＣタグから識別情報を読み取ると、識別情報を操作端末２４に送信し、現時点における患畜の段階を更新させるための指示を送信する。ＣＰＵ６０は、段階の更新を指示されると、受信した識別情報に対応する患畜について、送信元のタグリーダ５０、５１、５２、５４、５６、５８、５９の各々に応じた段階に更新する。
【００５１】
ネットワークＩ／Ｆ６８を介して、段階を更新する指示をタグリーダ５０、５１、５２、５４、５６、５８、５９のいずれからも受信していない場合、ステップＳ１０４の判定が否定判定となり、ステップＳ１２０へ移行する。一方、ネットワークＩ／Ｆ６８を介して、段階を更新する指示をタグリーダ５０、５１、５２、５４、５６、５８、５９のいずれかから受信した場合、ステップＳ１０４の判定が肯定判定となり、ステップＳ１０６へ移行する。
【００５２】
ステップＳ１０６でＣＰＵ６０は、予約外の患畜を受け付けたか否かを判定する。具体的には、ＣＰＵ６０は、上記ステップＳ１００で取得した本日の予約情報に含まれる患畜の識別番号と異なる識別番号を、タグリーダ５０から受信した場合、予約外の患畜を受け付けたと判定する。予約外の患畜を受け付けた場合、ステップＳ１０６の判定が肯定判定となり、ステップＳ１０８へ移行する。
【００５３】
ステップＳ１０８でＣＰＵ６０は、操作端末２４の記憶部６２に記憶されている病院管理情報６４から、タグリーダ５０から受信した識別情報に対応する、情報１００Ａに相当する患畜情報を取得する。なお、新規に動物病院１に来院した患畜の場合、スタッフが、受付／会計端末２０または操作端末２４により、来院した患畜の患畜情報を病院管理情報６４として記憶部６２に記憶させておく。
【００５４】
次のステップＳ１１０でＣＰＵ６０は、予約外の患畜の情報１００Ａの表示も含む状態に、管理用モニタ４０に表示させている状況管理表１００を更新させた後、ステップＳ１２０へ移行する。
【００５５】
一方、予約外の患畜を受け付けたのではない場合、ステップＳ１０６の判定が否定判定となり、ステップＳ１１２へ移行する。
【００５６】
ステップＳ１１２でＣＰＵ６０は、タグリーダ５０、５１、５２、５４、５６、５８、５９のいずれかから受信した識別信号に基づき、患畜を特定する。
【００５７】
次のステップＳ１１４でＣＰＵ６０は、状況管理表１００における、上記ステップＳ１１２で特定した患畜の現時点の段階の表示を、タグリーダ５０、５１、５２、５４、５６、５８、５９に対応する段階に更新する。
【００５８】
具体的には、診察券を持った患畜（及び飼い主）が動物病院１に来院すると、まず、受付／会計端末２０を用いてスタッフにより、受付処理が行われる。受付を行う場合、診察券に含まれるＩＣタグが、待合室１０に配置されたタグリーダ５０により読み取られ、タグリーダ５０から識別信号が送信される。そのため、ＣＰＵ６０は、タグリーダ５０から識別信号を受信した場合、患畜の現時点の段階を「受付」段階とするために、状況管理表１００の「受付」に対応する位置に、患畜のアイコン１００Ｂを表示させる。
【００５９】
なお、前日から動物病院１の入院室１８に入院または宿泊している患畜の診療が予約されている場合は、「受付」の前段階の「入院／宿泊」に対応する位置に、患畜のアイコン１００Ｂが表示された状態となった後、飼い主により受付処理が行われると、上記のように、「受付」段階にアイコン１００Ｂが移動する。
【００６０】
また、受付が終了し、獣医師により第１診察室１１で診察が行われる場合、診察券に含まれるＩＣタグが、第１診察室１１に配置されたタグリーダ５１により読み取られ、タグリーダ５１から識別信号が送信される。獣医師により第２診察室１２で診察が行われる場合も同様に、診察券に含まれるＩＣタグが、第２診察室１２に配置されたタグリーダ５２により読み取られ、タグリーダ５２から識別信号が送信される。そのため、ＣＰＵ６０は、タグリーダ５１またはタグリーダ５２から識別信号を受信した場合、患畜の現時点の段階を「診察／処置」段階とするために、状況管理表１００における「受付」の後段階である「診察／処置」に対応する位置に、患畜のアイコン１００Ｂを移動させる。なお、ＣＰＵ６０は、タグリーダ５１及びタグリーダ５２のいずれから識別信号を受信したかを判断し、状況管理表１００に、第１診察室１１及び第２診察室１２のいずれで診察が行われているかを表す情報を表示させてもよい。
【００６１】
また、診察等の後、患畜自身または患畜から取得した検体の検査（以下、「患畜に対する検査」という）が行われる場合、診察券に含まれるＩＣタグが、バックヤード１４に配置されたタグリーダ５６または検査室／手術室１６に配置されたタグリーダ５８により読み取られ、タグリーダ５６またはタグリーダ５８から識別信号が送信される。そのため、ＣＰＵ６０は、タグリーダ５６またはタグリーダ５８から識別信号を受信した場合、患畜の現時点の段階を「検査」段階とするために、状況管理表１００における「診察／処置」の後段階である「検査」に対応する位置に、患畜のアイコン１００Ｂを表示させる。なお、本実施形態では、患畜に対する検査を行う場合、上述のように、検査全般の管理が検査管理端末２６により行われる。ＣＰＵ６０は、図８に示した状況管理表１００の一例のように、検査管理端末２６から検査内容を表す情報を取得して、表示させることが好ましい。図８に示した状況管理表１００の一例では、「検査」の段階に並べて、動物病院１の内部で行われる検査（「院内」参照）の内容を表す情報と、動物病院１の外部で行われる検査（「院外」参照）の内容を表す情報が表示された状態を示している。このように、検査の内容を表す情報を表示する場合において、複数の検査の内容が表示される場合、既に検査が終了した内容と、未だ検査が終了していない内容とをスタッフが認識し易い状態に表示させる形態とすることが好ましい。なお、動物病院１の外部で検査が行われる場合、検査が終了したことに代えて、外部の検査機関への検査の依頼を終了したこととすればよい。また、「検査」の内容、種類、及び数等に応じて、必要となる検体量も表示させる形態とすることが好ましい。
【００６２】
また、患畜に対する検査の後、獣医師により、第１診察室１１で診断または処置が行われる場合、診察券に含まれるＩＣタグが、第１診察室１１に配置されたタグリーダ５１により読み取られ、タグリーダ５１から識別信号が送信される。獣医師により第２診察室１２で診断または処置が行われる場合も同様に、診察券に含まれるＩＣタグが、第２診察室１２に配置されたタグリーダ５２により読み取られ、タグリーダ５２から識別信号が送信される。そのため、ＣＰＵ６０は、タグリーダ５１またはタグリーダ５２から識別信号を受信した場合、患畜の現時点の段階を「診断／処置」段階とするために、状況管理表１００における「検査」の後段階の「診断／処置」に対応する位置に、患畜のアイコン１００Ｂを移動させる。なお、ＣＰＵ６０は、タグリーダ５１及びタグリーダ５２のいずれから識別信号を受信したかを判断し、状況管理表１００に、第１診察室１１及び第２診察室１２のいずれで診断または処理が行われているかを表す情報を表示させてもよい。
【００６３】
また、診断または処置が終了し、調剤が行われる場合、診察券に含まれるＩＣタグが、バックヤード１４に配置されたタグリーダ５４により読み取られ、タグリーダ５４から識別信号が送信される。そのため、ＣＰＵ６０は、タグリーダ５４から識別信号を受信した場合、患畜の現時点の段階を「調剤」段階とするために、状況管理表１００における「診断／処置」の後段階である「調剤」に対応する位置に、患畜のアイコン１００Ｂを移動させる。なお、本実施形態では、患畜に投与するための薬の調剤を行う場合、調剤内容の管理が操作端末２４により行われる。ＣＰＵ６０は、図８に示した状況管理表１００の一例のように、操作端末２４から調剤内容を表す情報を取得して、表示させることが好ましい。図８に示した状況管理表１００の一例では、「調剤」の段階に並べて、調剤の内容を表す情報が表示された状態を示している。
【００６４】
また、調剤された薬が患畜の飼い主に渡される状態になると、診療に関わる会計が受付／会計端末２０を用いてスタッフにより、会計処理が行われる。会計を行う場合、診察券に含まれるＩＣタグが、待合室１０に配置されたタグリーダ５０により読み取られ、タグリーダ５０から識別信号が送信される。そのため、ＣＰＵ６０は、タグリーダ５０から識別信号を受信した場合、患畜の現時点の段階を「会計」段階とするために、状況管理表１００における「調剤」の後段階の「会計」に対応する位置に、患畜のアイコン１００Ｂを表示させる。
【００６５】
さらに、この後、患畜が入院する場合、診察券と共に患畜が入院室１８に移動し、診察券に含まれるＩＣタグが、入院室１８に配置されたタグリーダ５９により読み取られ、タグリーダ５９から識別信号が送信される。そのため、ＣＰＵ６０は、タグリーダ５９から識別信号を受信した場合、患畜の現時点の段階を「入院／宿泊」段階とするために、状況管理表１００における「会計」の後段階の「入院／宿泊」に対応する位置に、患畜のアイコン１００Ｂを表示させる。
【００６６】
このように、患畜の現時点の段階の表示を更新すると、次のステップＳ１１６でＣＰＵ６０は、現時点の段階が「検査」段階であるか否かを判定する。現時点の段階が「検査」段階以外の段階である場合、ステップＳ１１６の判定が否定判定となり、ステップＳ１２０へ移行する。一方、現時点の段階が「検査」段階である場合、ステップＳ１１６の判定が肯定判定となり、ステップＳ１１８へ移行する。
【００６７】
ステップＳ１１８でＣＰＵ６０は、現時点の検査機器の稼働状況を表示させるために、管理用モニタ４０に表示させている検査機器稼働状況表１０２を更新させた後、ステップＳ１２０へ移行する。
【００６８】
図８に示した一例のように、本実施形態の病院支援システム４では、管理用モニタ４０に、状況管理表１００と共に、検査機器稼働状況表１０２も表示させる。検査機器稼働状況表１０２は、検査管理端末２６によって管理される検査機器群４４及び放射線検査装置４５の稼働状況を表す情報が一覧表示される表である。
【００６９】
検査機器稼働状況表１０２は、検査機器群４４に含まれる各検査装置、及び放射線検査装置４５毎の稼働状態を表す情報１０２Ａの表示を含む。図１０に示すように、本実施形態では、情報１０２Ａは、一例として検査機器の名称１２０、検査機器の写真１２２、検査機器により検査中の患畜の氏名１２４、検査のための稼働の進行状況１２６、検査の待機中である患畜の数１２７、及び検査の待機中である患畜の氏名１２８を含む。なお、図１０に示した一例では、進行状況１２６として、全体の何％程度、処理が行われたかを表す情報を表示させる形態を示しているが、この形態に限定されず、例えば、検査機器が稼働する残り時間や、稼働が終了すると予定されている予定時刻等を表示させる形態としてもよい。また、進行状況１２６を、待合室１０に配置された待合室用モニタ３２に表示させる制御を行う形態としてもよい。また、検査の待機中である患畜の数１２７が、予め定められた数を超えた場合、検査が混み合っていることを表す情報を、待合室１０に配置された待合室用モニタ３２に表示させる制御を行う形態としてもよい。
【００７０】
なお、本実施形態では、検査機器群４４または放射線検査装置４５により検査が開始されると、検査が終了するまで、検査管理端末２６の指示により、管理用モニタ４０に表示される検査機器稼働状況表１０２の表示内容が制御され、例えば、検査管理端末２６の制御により、進行状況１２６の更新等が行われる。
【００７１】
なお、検査機器稼働状況表１０２に表示させる情報は本実施形態で例示した情報に限定されず、例えば、検査機器群４４の各検査機器及び放射線検査装置４５等における消耗品の残量を表す情報等であってもよい。
【００７２】
また例えば、管理用モニタ４０の入力部８６により、スタッフが検査機器の名称１２０等を選択した場合、選択された検査機器に関する種々の情報を、検査管理端末２６が、情報１０２Ａに表示させる形態としてもよい。この場合の種々の情報としては、例えば、消耗品の残量や、検査機器に異常が生じている場合、生じている異常に関する情報や検査機器のメンテナンスを行うサービスマン等の連絡先等が挙げられる。
【００７３】
上記ステップＳ１１０、Ｓ１１６で否定判定となった場合、及びＳ１１８の後のステップＳ１２０でＣＰＵ６０は、本病院支援処理を終了するか否かを判定する。例えば、操作端末２４のスイッチ（図示省略）がオフ状態とされるまで、ステップＳ１２０の判定が否定判定となり、ステップＳ１０４に戻り、ステップＳ１０６〜Ｓ１１８の処理を繰り返す。一方、例えば、操作端末２４のスイッチがオフ状態とされた場合、ステップＳ１２０の判定が肯定判定となり、本病院支援処理を終了する。
【００７４】
以上説明したように、本実施形態の病院支援システム４は、管理用モニタ４０と、少なくとも、患畜が来院してから会計が終了するまでの患畜が病院にいる間に、患畜に対応して行われる一連の予め定められた複数の段階に応じた項目が時系列順に並んだ状態の状況管理表１００を管理用モニタ４０に表示させる第１制御部、及び状況管理表１００に対して、複数の段階のうち、その時点で行われている段階がいずれの段階であるかを表すアイコン１００Ｂを管理用モニタ４０に表示させる制御を行う第２制御部として機能する操作端末２４と、を備える。
【００７５】
このように、本実施形態の病院支援システム４では、管理用モニタ４０に、状況管理表１００として、患畜に対応して行われる一連の予め定められた複数の段階のうち、現時点における患畜の段階がいずれの段階であるかが分かり易く表示される。従って、本実施形態の病院支援システム４によれば、動物病院１のスタッフは、動物病院１の全体における患畜に対するスケジュールの把握を容易に行うことができる。
【００７６】
なお、本実施形態では、診察券にＩＣタグが含まれる形態について説明したが、ＩＣタグを、診察券とは別途に設ける形態としてもよく、例えば、患畜に装着可能な形態、具体的には患畜の首輪等に装着可能にＩＣタグを設ける形態としてもよい。
【００７７】
また、ＩＣタグに代わり、ＧＰＳ（Global Positioning System）内蔵のタグを用いる形態としてもよい。この場合、動物病院１において受付を行った場合に、ＧＰＳ内蔵のタグを患畜に装着させ、ＧＰＳ内蔵のタグから送信される患畜の位置情報に基づいて、操作端末２４が、患畜の位置に応じた段階（例えば、患畜の位置が第１診察室１１であれば「診察／処置」段階）とする制御を行えばよい。
【００７８】
また、ＩＣタグ及びタグリーダ５０、５１、５２、５４、５６、５８、５９を用いて患畜の現時点の段階を更新する形態について説明したが、これらに代えて、またはこれらに加えて、例えば、スタッフや患畜の飼い主が用いるウエアラブル機器から予め定められた情報を操作端末２４が受信した場合に、患畜の現時点の段階を更新する形態としてもよい。この場合の病院支援システム４の構成の一例を図１１に示す。ウエアラブル機器９２は、患畜のカルテの記載等、患畜に関して記載された情報を記憶する記憶部９３と、記憶部９３に記憶された情報を送信する送信部９４とを備え、ネットワークＮに、通信が可能に接続される。このようなウエアラブル機器９２の具体例としては、いわゆる電子ペンや、スタッフが装着するメガネに装着が可能なカメラ、またはメガネと一体型のカメラ等が挙げられる。
【００７９】
また、本実施形態では、管理用モニタ４０には、状況管理表１００及び検査機器稼働状況表１０２が表示される形態について説明したが、管理用モニタ４０に、状況管理表１００及び検査機器稼働状況表１０２の少なくとも一方と切り替えて、または状況管理表１００及び検査機器稼働状況表１０２と共に、その他の情報も表示させる形態としてもよい。例えば、スタッフが、管理用モニタ４０の入力部８６を用いて、状況管理表１００におけるアイコン１００Ｂを指定した場合、指定したアイコン１００Ｂに対応する患畜の過去の検査結果に関する情報や、詳細な患畜情報等を管理用モニタ４０に表示させる形態としてもよい。
【００８０】
また、本実施形態では、状況管理表１００及び検査機器稼働状況表１０２を管理用モニタ４０に表示させる形態について説明したが、状況管理表１００及び検査機器稼働状況表１０２の少なくとも一方を、他の表示装置（待合室用モニタ３２、診察用モニタ３３、診察用モニタ３４、操作入力用モニタ３８、及び検査管理用モニタ４２）等に表示させる形態としてもよい。例えば、診察用モニタ３３に状況管理表１００を表示させる場合、飼い主への診察の説明用として、状況管理表１００から患畜を選択して、検査機器４４及び放射線検査装置４５による検査の結果、具体的には、血液検査の結果や放射線画像、及び超音波画像等を表示させる形態としてもよい。なお、管理用モニタ４０以外の表示装置に表示させる場合、表示させる表示装置、または表示装置が配置された場所に応じて、表示内容を制御することが好ましい。
【００８１】
特に、待合室用モニタ３２は、動物病院１のスタッフ以外の人物により視聴されるため、待合室用モニタ３２に状況管理表１００を表示させる場合、詳細な検査の内容や調剤の内容、及び患畜や飼い主の個人情報に係る情報等が表示されないことが好ましい。そのため、待合室用モニタ３２には、各患畜の現時点の段階を表す情報の表示が行われればよく、上述した状況管理表１００のうち、一部の情報のみを表示させることが好ましい。このように、待合室用モニタ３２に状況管理表１００の一部として、各患畜の現時点の段階を表す情報が表示されることにより、待合室１０で待機する飼い主も現在の状況を確認できるため、好ましい。このように表示を行うことにより、例えば、診察や検査が混み合っている場合でも、飼い主は、どの程度混み合っているのか、待ち時間の目安等を把握することができる。
【００８２】
このように、管理用モニタ４０以外の表示装置に表示させる場合、表示させる表示装置、または表示装置が配置された場所に応じて、表示内容を制御する場合、表示装置における表示の視聴が可能な範囲内にいる人物像を撮像し、撮像された画像に対して顔認識処理等を行って、動物病院１のスタッフであるか判定し、スタッフのみがいる場合と、スタッフ以外がいる場合とで、表示内容を異ならせる形態としてもよい。
【００８３】
また、本実施形態では、人間以外の動物を診療する動物病院１を病院支援システム４が適用される病院の一例とし、被検体を人間以外の動物（患畜）とした形態について説明したが、本実施形態に限定されず、人間を診療する病院を病院支援システム４が適用される病院の一例とし、被検体を人間とした形態であってもよい。
【００８４】
また、上記実施形態でＣＰＵがソフトウェア（プログラム）を実行することにより実行した各種処理を、ＣＰＵ以外の各種のプロセッサが実行してもよい。この場合のプロセッサとしては、ＦＰＧＡ（Field-Programmable Gate Array）等の製造後に回路構成を変更可能なＰＬＤ（Programmable Logic Device）、及びＡＳＩＣ（Application Specific Integrated Circuit）等の特定の処理を実行させるために専用に設計された回路構成を有するプロセッサである専用電気回路等が例示される。また、上記各種処理を、これらの各種のプロセッサのうちの１つで実行してもよいし、同種又は異種の２つ以上のプロセッサの組み合わせ（例えば、複数のＦＰＧＡ、及びＣＰＵとＦＰＧＡとの組み合わせ等）で実行してもよい。また、これらの各種のプロセッサのハードウェア的な構造は、より具体的には、半導体素子等の回路素子を組み合わせた電気回路である。
【００８５】
また、上記実施形態では、病院支援プログラム６３が記憶部６２に予め記憶（インストール）されており、検査管理プログラム７３が記憶部７２に予め記憶されており、また、表示制御プログラム８３が記憶部８２に予め記憶されている態様を説明したが、これに限定されない。病院支援プログラム６３、検査管理プログラム７３、及び表示制御プログラム８３の各々は、ＣＤ−ＲＯＭ（Compact Disk Read Only Memory）、ＤＶＤ−ＲＯＭ（Digital Versatile Disk Read Only Memory）、及びＵＳＢ（Universal Serial Bus）メモリ等の記録媒体に記録された形態で提供されてもよい。また、病院支援プログラム６３、検査管理プログラム７３、及び表示制御プログラム８３の各々は、ネットワークを介して外部装置からダウンロードされる形態としてもよい。
【符号の説明】
【００８６】
１  動物病院
４  病院支援システム
６  第１制御部
７  第２制御部
８  第３制御部
１０  待合室
１１  第１診察室
１２  第２診察室
１４  バックヤード
１６  検査室／手術室
１８  入院室
２０  受付／会計端末
２４  操作端末
２６  検査管理端末
３０  受付／会計端末用モニタ
３２  待合室用モニタ
３３、３４  診察用モニタ
３８  操作入力用モニタ
４０  管理用モニタ
４２  検査管理用モニタ
４４  検査機器群
４５  放射線検査装置
５０、５１、５２、５４、５６、５８、５９  タグリーダ
６０、７０、８０  ＣＰＵ
６１、７１、８１  メモリ
６２、７２、８２  記憶部
６３  病院支援プログラム
６４  病院管理情報
６６、７６、８６  入力部
７７  通信Ｉ／Ｆ
６８、７８、８８  ネットワークＩ／Ｆ
６９、７９、８９  バス
７３  検査管理プログラム
７４  機器管理情報
８３  表示制御プログラム
８５  出力部
８７  表示部
９２  ウエアラブル機器
９３  記憶部
９４  送信部
１００  状況管理表
１００Ａ、１０２Ａ  情報
１００Ｂ  アイコン
１０２  検査機器稼働状況表
１１０、１２４、１２８  氏名
１１１  識別番号
１１２  年齢
１１４  性別
１１５  種類
１１６  品種
１１８  予約時間
１２０  名称
１２２  写真
１２６  進行状況
１２７  患畜の数
Ｎ  ネットワーク
【図１】
2019197493.tif 000003
【図２】
2019197493.tif 000004
【図３】
2019197493.tif 000005
【図４】
2019197493.tif 000006
【図５】
2019197493.tif 000007
【図６】
2019197493.tif 000008
【図７】
2019197493.tif 000009
【図８】
2019197493.tif 000010
【図９】
2019197493.tif 000011
【図１０】
2019197493.tif 000012
【図１１】
2019197493.tif 000013